(57)【要約】【課題】窓枠の汚れを取り除く、あるいは取り除きやすくすることで、居住者の負担を軽減することができる窓枠掃除装置を提供する。【解決手段】窓枠掃除装置１００は、縦框の側面に取付部１１０が取り付けられ、縦框の側面が窓枠の下枠に沿って移動することにより、下枠上を摺動部１２０が擦るように逆Ｕ字状に不織布で形成されたものである。この窓枠掃除装置１００は、下枠上に突設されたレールの両側にそれぞれ位置するように切欠部１２１が形成されている。窓を開け閉めすることで縦框が移動すると、摺動部１２０が、下枠に向かって垂下し、下枠上に沿って屈曲して、下枠上を擦ることで、下枠上に蓄積して固まった砂や塵埃を取り除く、あるいは取り除きやすくする。【選択図】図２
2009062773.tif 000002
【特許請求の範囲】
【請求項１】
薄厚に形成された装置自体の基部が縦框の側面に取り付けられ、前記縦框の側面が窓枠の下枠に沿って移動することにより、前記下枠上を前記装置自体の先部が摺動する窓枠掃除装置。
【請求項２】
前記先部は、前記下枠上に突設されたレールの両側にそれぞれ位置するように形成されている請求項１記載の窓枠掃除装置。
【請求項３】
前記先部は、前記下枠に向かって垂下し、前記下枠上に沿って屈曲する長さに形成されている請求項１または２記載の窓枠掃除装置。
【請求項４】
前記先部の長さは、室外側が室内側より長く形成されている請求項１または２記載の窓枠掃除装置。
【請求項５】
前記先部は、不織布、フェルト、ゴム、樹脂製シート、樹脂製フィルム、スポンジ、またはブラシで形成されている請求項１から４のいずれかの項に記載の窓枠掃除装置。
【発明の詳細な説明】
【技術分野】
【０００１】
本発明は、窓枠の下枠を清掃する窓枠掃除装置に関する。
【背景技術】
【０００２】
屋外に面した窓枠は、汚れが酷い。特に下枠は砂や埃が蓄積しやすいので掃除が大変である。例えば、特許文献１には、下枠のベース部材の上部にそれぞれ脱着自在に嵌着された３分割構造の目板材が設けられ、下枠を掃除するときにはこの目板材が簡単に取り外せるので掃除が容易にでき、元に戻すことにより高気密、高水密性を維持することができる屋外用下枠フラットサッシの掃除装置が記載されている。
【０００３】
【特許文献１】特開２００３−９７１５２号公報
【発明の開示】
【発明が解決しようとする課題】
【０００４】
ところで、窓枠の掃除は、毎日は行われず、一般的に、一月に一回か、数ヶ月に一回か、または師走の大掃除のときにしか行われないものである。特に、窓枠の下枠は、砂や塵埃が積もりやすいので、積もった砂や塵埃が吸湿して固まることで窓枠にこびり付いてしまい、掃除をしようかと思ったときには、除去することが困難な状況となってしまう場合がある。従って、居住者がいざ掃除を行おうと思ったときには、掃除に相当な負担がかかってしまう。
【０００５】
そこで本発明は、窓枠の汚れを取り除く、あるいは取り除きやすくすることで、居住者の負担を軽減することができる窓枠掃除装置を提供することを目的とする。
【課題を解決するための手段】
【０００６】
本発明の窓枠掃除装置は、薄厚に形成された装置自体の基部が縦框の側面に取り付けられ、前記縦框の側面が窓枠の下枠に沿って移動することにより、前記下枠上を前記装置自体の先部が摺動することを特徴とする。
本発明の窓枠掃除装置は、薄厚に形成された装置自体の基部を縦框の側面に取り付けて、そして、縦框が窓枠の下枠に沿って移動すると、先部が下枠上を摺動するので、窓を開閉する度に先部が下枠の表面の砂や塵埃に接触して掃除をする。従って、本発明の窓枠掃除装置は、窓枠の汚れを取り除く、あるいは取り除きやすくすることができる。ここで、本発明の窓枠掃除装置は、前記先部と前記基部とが、一体でも別体として形成されていてもよい。
【０００７】
前記先部は、前記下枠上に突設されたレールの両側にそれぞれ位置するように形成されているのが望ましい。下枠にレールが突設された窓枠である場合には、先部が、レールの両側にそれぞれ位置するように形成されていると、下枠に清掃を邪魔するレールがあっても、レールの両側に位置する下枠上を掃除することができる。
【０００８】
前記先部は、前記下枠に向かって垂下し、前記下枠上に沿って屈曲する長さに形成されているのが望ましい。先部が、下枠に向かって垂下した後、下枠上に沿って屈曲する長さに形成されていると、進行方向の反対側に向かって先部が折れ曲がる。従って、先部と下枠との接触面積を大きく確保することができるので、より効果的に清掃することができる。
【０００９】
前記先部の長さは、室外側が室内側より長く形成されていると、下枠が、室内側が高く室外側が低い段違いとなっている場合であっても、長くなっている先部の室外側が下枠上を擦ることができるので、先部が下枠の室外側に接触する面積が低減してしまうことを回避することができる。
【００１０】
前記先部は、不織布、フェルト、ゴム、樹脂製シート、樹脂製フィルム、スポンジ、またはブラシで形成されているのが望ましい。先部がこれらの材質のものであれば、窓が開閉する度に、砂や塵埃を付着させ、取り除いたり、取り除きやすくしたりすることができる。
【発明の効果】
【００１１】
本発明の窓枠掃除装置は、窓が窓枠の下枠に沿って移動すると、先部が下枠上を摺動するので、窓を開閉する度に先部が下枠の表面の砂や塵埃に接触して掃除をすることができる。よって、本発明の窓枠掃除装置は、窓枠の汚れを取り除く、あるいは取り除きやすくすることができるので、居住者の負担を軽減することができる。
【発明を実施するための最良の形態】
【００１２】
（実施の形態１）
本発明の実施の形態１に係る窓枠掃除装置を、図面に基づいて説明する。図１は、本発明の実施の形態１に係る窓枠掃除装置を説明するための図であり、窓への取り付け位置を示す図である。図２は、図１に示す窓枠掃除装置を説明するための要部拡大斜視図である。図３（Ａ）および同図（Ｂ）は、本発明の実施の形態１に係る窓枠掃除装置を示す図である。
【００１３】
図１および図２に示すように、窓枠掃除装置１００は、窓１を開閉する度に、窓枠２の下枠２１を掃除するものである。窓１は、ガラス１１と、このガラス１１の周囲を囲う額縁状の框１２とで形成され、窓枠２の下枠２１に沿って移動するアルミサッシの引き違い窓である。本実施の形態１では、室内側から見て右側の窓１のみを説明するが、左側の窓の縦框にも同様に窓枠掃除装置１００が取り付けられている。窓枠掃除装置１００は、この窓１の縦框１３，１４の側面１３ａ，１４ａに設けられている。縦框１３，１４の側面１３ａ，１４ａとは、窓１を開閉するときに、進行方向に向いている面である。
【００１４】
図１から図３に示すように、窓枠掃除装置１００は、装置自体が、薄厚のシート状からなる不織布で、逆Ｕ字状に形成されている。窓枠掃除装置１００は、ロック機構１５が設けられている縦框１３の側面１３ａに取り付けられる窓枠掃除装置１００ａと、閉鎖状態のときに窓枠２の縦枠２２に当接する縦框１４ａの側面１４ａに取り付けられる窓枠掃除装置１００ｂとすることができる。この窓枠掃除装置１００ａと、窓枠掃除装置１００ｂとは、幅が異なるだけで長さは同じである。これは、ロック機構１５が設けられている縦框１３は、縦框１４より幅広に形成されているので、窓枠掃除装置１００の幅を窓枠２の縦枠２２の幅に応じて形成することで、より幅広く下枠２１を掃除するためである。
【００１５】
窓枠掃除装置１００は、縦框１３の側面１３ａに取り付けられることで基部となる取付部１１０の一面側に、粘着シート１１１が付与されている。この粘着シート１１１には、使用前に他のものに接触して粘着力が低下しないように剥離紙（図示せず）が粘着シート１１１上に貼り付けられている。
【００１６】
また、窓枠掃除装置１００は、基部である取付部１１０に対して先部となる摺動部１２０に、下枠２１に突設されたレール２３を通過させるための切欠部１２１が設けられている。この窓枠掃除装置１００は、粘着シート１１１により縦框１３，１４の側面１３ａ，１４ａの下端に取り付けられている。
【００１７】
以上のように構成された本発明の実施の形態１に係る窓枠掃除装置の取り付け方法および使用状態を、図面に基づいて説明する。図４（Ａ）および同図（Ｂ）は、図３に示す窓枠掃除装置の取り付け方法および使用状態を説明するための図である。
まず、窓枠掃除装置１００の取付部１１０に設けられた粘着シート１１１の粘着面を、剥離紙を剥がすことで露出させる。そして、摺動部１２０に設けられた切欠部１２１の根元にレール２３の先端が位置するように、窓枠掃除装置１００の取付部１１０を、窓１の縦框１３，１４の側面１３ａ，１４ａの下端に貼り付ける。そうすることで、窓枠掃除装置１００の摺動部１２０が、下枠２１に向かって垂下し、下枠２１上に沿って屈曲した状態となる（図４（Ａ）参照）。取付部１１０の長さが長ければ、側面１３ａ，１４ａの下端でなくても取付部１１０の取り付け位置を調整して、下端より少し上とすることもできる。
【００１８】
窓枠掃除装置１００（１００ａ，１００ｂ）の取り付けが完了すると、後は通常の窓１の開け閉めを行うだけで、特別な操作は不要である。
【００１９】
例えば、窓１を開けるために一方向（矢印Ｆ１の方向）へ移動させると、図４（Ｂ）に示すように、窓枠掃除装置１００ａの摺動部１２０は屈曲して窓１の下方に位置しながら一面１２２側が窓枠２の下枠２１上を擦る。また、図４（Ａ）に示すように、窓を閉めるために他方向（矢印Ｆ２の方向）へ移動させると、窓枠掃除装置１００ａの摺動部１２０は先程とは反対側となる窓１から離れる方へ屈曲して、他面１２３側が窓枠２の下枠２１上を摺動する。そうすることで、先端部分のみが窓枠２の下枠２１上に接しているものより、接触面積を大きく確保することができるので、より効果的に清掃することができる。
【００２０】
窓枠掃除装置１００は、取付部１１０と摺動部１２０とが一体的に不織布により形成されているが、摺動部１２０のみを不織布で形成し、取付部１１０をその他の材質のものとしてもよい。しかし、取付部１１０と摺動部１２０とを一体的に形成した窓枠掃除装置１００とする方が、大判の不織布を、打ち抜いていくだけで、窓枠掃除装置１００を数多く作製することができる。従って、取付部１１０と摺動部１２０とを一体的に形成した窓枠掃除装置１００は、量産性に優れている。
【００２１】
このように、窓１が窓枠２の下枠２１に沿って移動すると、摺動部１２０が下枠２１上を擦るので、窓１を開閉する度に摺動部１２０が下枠２１の表面の砂や塵埃に接触して掃除をすることができる。従って、窓枠掃除装置１００は、窓枠２１の汚れを取り除く、あるいは取り除きやすくすることができるので、居住者の負担を軽減することができる。
【００２２】
なお、本実施の形態１の窓枠掃除装置１００は装置自体が不織布で形成されているが、砂や塵埃を擦ることで捕獲し保持することができれば、スポンジとしても、ネット状部材としてもよい。窓枠掃除装置１００を、不織布、フェルト、スポンジ、あるいはネット状部材で形成することで、窓１を閉じても、窓枠掃除装置１００が縦框１４と窓枠２の縦枠２２との間に挟まれて圧縮された状態となることで隙間ができないので、密閉性を損なうことがない。また、窓枠掃除装置１００は、砂や塵埃を窓枠２の角に窓１の開閉と共に掻き出すことができればよいので、不織布やフェルトと比較して多少剛性の高い、ゴムまたはブラシとすることも可能である。また、樹脂製シート、樹脂製フィルムなども使用できる。
窓枠掃除装置１００が、不織布、ゴム、樹脂製シート、樹脂製フィルム、ブラシ、スポンジ、あるいはネット状部材で形成されていれば、摺動部１２０が汚れて清掃力が低下したときに、汚れた摺動部１２０を切断し取付部１１０の取り付け位置を下げて、再度、清掃力を復元させることも容易である。
【００２３】
また、窓枠掃除装置１００として、縦框１３，１４の幅に応じて２種類の幅の窓枠掃除装置１００ａ，１００ｂを例に説明したが、幅広のものを用意し、上下方向に沿って複数のミシン目を入れておくことで、幅の調整が細かくできるようにしてもよい。
【００２４】
（実施の形態２）
次に、本発明の実施の形態２に係る窓枠掃除装置を、図面に基づいて説明する。図５（Ａ）および同図（Ｂ）は、本発明の実施の形態２に係る窓枠掃除装置を示す図である。図６（Ａ）および同図（Ｂ）は、図５に示す窓枠掃除装置の変形例を示す図である。なお、図５および図６において、図３と同じ構成のものは同符号を付して説明を省略する。
【００２５】
図５に示す実施の形態２に係る窓枠掃除装置２００（２００ａ，２００ｂ）は、先部となる摺動部２１０の長さが、室内側より室外側の方が長く形成されていることを特徴とするものである。
【００２６】
これは、窓枠によっては、下枠が、室内側が高く室外側が低い段違いとなっている場合であり、このような場合であっても、長くなっている摺動部２１０の室外側２１１が下枠上を擦ることができるので、摺動部２１０が下枠の室外側に接触する面積が低減してしまうことを回避することができる。
【００２７】
図５に示す本実施の形態２に係る窓枠掃除装置２００では、摺動部２１０の先端が、室内側２１２から室外側２１１に向かうに従って徐々に長くなるように傾斜しているが、図６に示す窓枠掃除装置２２０（２２０ａ，２２０ｂ）のように、室外側２２１と室内側２２２とがそれぞれで長さが変わらないように形成してもよい。
【００２８】
（実施の形態３）
次に、本発明の実施の形態３に係る窓枠掃除装置を、図面に基づいて説明する。図７は、本発明の実施の形態３に係る窓枠掃除装置を示す図であり、（Ａ）は正面図、（Ｂ）は側面図である。なお、図７において符号１１１は、図３の粘着シート１１１と同じものである。
【００２９】
図７に示す実施の形態３に係る窓枠掃除装置３００は、先部となる摺動部３２０が薄厚のブラシ３２１により形成されていることを特徴とするものである。断面コ字状の取付部３１０は、金属板を折り曲げることで形成され、ブラシ３２１を挟み込むことで保持している。ブラシ３２１には、レール２３（図２参照）を通過させるための隙間３２２が設けられている。取付部３１０は、窓１を閉じてロックしたときに、窓１の縦框１４と窓枠２の縦枠２２との間に隙間ができないような厚みとするのが望ましい。
【００３０】
窓枠掃除装置３００においても、実施の形態２の窓枠掃除装置２００，２２０と同様に、室内側と室外側とでブラシ３２１の長さを変えてもよい。また、ブラシ３２１としては、長さが下枠２１に沿って折れ曲がる程度に長い場合には軟質のものを採用するのが望ましい。
【００３１】
このように、窓枠掃除装置３００の摺動部３２０を、不織布などのシート状部材でなくブラシ３２１としても、実施の形態１，２と同様の効果を得られるので、窓１の開閉する度に下枠２１上を清掃することができる。
【００３２】
（実施の形態４）
本発明の実施の形態４に係る窓枠掃除装置を、図面に基づいて説明する。図８は、本発明の実施の形態４に係る窓枠掃除装置を示す斜視図である。
図８に示す実施の形態４に係る窓枠掃除装置４００は、矩形の板状に形成された基部となる取付部４１０に対して、先端を折り返して接続することで摺動部４２０がリング状に形成されていることを特徴とするものである。
【００３３】
この窓枠掃除装置４００は、全体を窓枠掃除装置１００と同様に、逆Ｕ字状に形成された不織布で形成することができる。摺動部４２０を、先端を折り返してリング状とするときには、超音波による接着や加熱による溶着、または接着剤による接着などで形成することができる。
【００３４】
この窓枠掃除装置４００は、図１に示す実施の形態１に係る窓枠掃除装置１００と同様に、窓１の縦框１３，１４の側面１３ａ，１４ａの下端に貼り付けることができる。
【００３５】
窓枠掃除装置４００を、側面１３ａ，１４ａの下端に貼り付けて、窓１を閉めると、摺動部４２０が、窓１と窓枠２の下枠２１との間に入り込んだ状態となる。このときに、摺動部４２０がリング状に形成されていることで、厚みが２枚分となるだけでなく膨らみができるので、窓１と窓枠２の下枠２１との間の隙間が多少大きくても、摺動部４２０が両方に接触した状態となる。こうなることで、窓１を開いた状態としても、摺動部４２０が窓１と窓枠２の下枠２１との間に入り込んだ状態から外へ出にくくなるので、見栄えが向上するだけでなく、摺動部４２０と下枠２１との接触を一定に保つことができ、安定した清掃の品質を確保することができる。
【００３６】
また、窓１と窓枠２との間に入り込んだ摺動部４２０が窓１の開閉によって出にくくなるということは、屈曲の状態が変化しにくいということなので、屈曲の状態が変化する度に発生する取付部４１０への応力が緩和される。従って、取付部４１０が縦框１３，１４の側面１３ａ，１４ａから剥がれにくい。
【００３７】
なお、本実施の形態４に係る窓枠掃除装置４００では、摺動部４２０をリング状としているが、摺動部４２０に２枚分の厚みを持たせればよいのであれば、摺動部４２０をリング状にした後に隙間無く貼り付けて、取付部４１０に対して厚板としてもよい。
【００３８】
次に、本発明の実施の形態４に係る窓枠掃除装置の変形例を、図９に基づいて説明する。図９は、本発明の実施の形態４に係る窓枠掃除装置の変形例を示す斜視図である。なお、図９においては、図８と同じ構成のものは同符号を付して説明を省略する。
【００３９】
図９に示す窓枠掃除装置５００は、リング状に形成された摺動部５１０（図８の符号４２０参照）に複数の切り込みを上下方向に入れることで、摺動部５１０を複数のリングによるブラシとしたことを特徴とするものである。
【００４０】
このように摺動部５１０を形成することで、図８に示す窓枠掃除装置４００と同様の効果が得られるだけでなく、摺動部５１０が窓１と窓枠２の下枠２１との間の隙間に入り込んだ状態で窓１を開閉すると、摺動部５１０のそれぞれのリングが乱れるように隙間内を移動して下枠２１上を擦り、砂や塵埃を捕獲するので、より清掃機能を向上させることができる。
【００４１】
以上、本発明の実施の形態について説明してきたが、本発明は前記実施の形態に限定されるものではない。例えば、本実施の形態１〜３では、粘着シートにより縦框に貼り付けていたが、縦框に窓枠掃除装置を取り付けることができれば他のものでもよい。例えば、接着剤で貼り付けたり、マジックテープ（登録商標）で取り付けることも可能である。
【産業上の利用可能性】
【００４２】
本発明の窓枠掃除装置は、窓に取り付けて使用することができるが、窓だけでなく、開閉するときに下枠に沿って開け閉めする網戸や雨戸の縦框に取り付けて使用することもできる。
【図面の簡単な説明】
【００４３】
【図１】本発明の実施の形態１に係る窓枠掃除装置を説明するための図であり、窓への取り付け位置を示す図である。
【図２】図１に示す窓枠掃除装置を説明するための要部拡大斜視図である。
【図３】（Ａ）および（Ｂ）は、本発明の実施の形態１に係る窓枠掃除装置を示す図である。
【図４】（Ａ）および（Ｂ）は、図３に示す窓枠掃除装置の取り付け方法および使用状態を説明するための図である。
【図５】（Ａ）および（Ｂ）は、本発明の実施の形態２に係る窓枠掃除装置を示す図である。
【図６】（Ａ）および（Ｂ）は、図５に示す窓枠掃除装置の変形例を示す図である。
【図７】本発明の実施の形態３に係る窓枠掃除装置を示す図であり、（Ａ）は正面図、（Ｂ）は側面図である。
【図８】本発明の実施の形態４に係る窓枠掃除装置を示す斜視図である。
【図９】本発明の実施の形態４に係る窓枠掃除装置の変形例を示す斜視図である。
【符号の説明】
【００４４】
１  窓
１１  ガラス
１２  框
１３，１４  縦框
１３ａ，１４ａ  側面
１５  ロック機構
２  窓枠
２１  下枠
２２  縦枠
２３  レール
１００，１００ａ，１００ｂ  窓枠掃除装置
１１０  取付部
１１１  粘着シート
１２０  摺動部
１２１  切欠部
１２２  一面
１２３  他面
２００，２００ａ，２００ｂ  窓枠掃除装置
２１０  取付部
２１１  室外側
２１２  室内側
２２０，２２０ａ，２２０ｂ  窓枠掃除装置
２２１  室外側
２２２  室内側
３００，４００，５００  窓枠掃除装置
３１０，４１０  取付部
３２０，４２０，５１０  摺動部
３２１  ブラシ
３２２  隙間
【図１】
2009062773.tif 000003
【図２】
2009062773.tif 000004
【図３】
2009062773.tif 000005
【図４】
2009062773.tif 000006
【図５】
2009062773.tif 000007
【図６】
2009062773.tif 000008
【図７】
2009062773.tif 000009
【図８】
2009062773.tif 000010
【図９】
2009062773.tif 000011